(57)【要約】【課題】      温度計校正炉に用いられるヒートパイプを簡便に着脱できる治具を提供する。【解決手段】  着脱に際し円筒状のヒートパイプを載置する載置面を一端に有する支持部と、前記支持部が挿入される貫通口を有する留め具と、前記支持部を前記留め具との間で挟持し、かつ内側から前記ヒートパイプに前記支持部を押圧することで固定する固定部とを備えるヒートパイプ着脱治具であって、前記ヒートパイプが用いられる装置内に配置される設置台の溝部に、前記載置面が嵌合することを特徴とするヒートパイプ着脱治具とした。【選択図】図１
2010025397.tif 000002
【特許請求の範囲】
【請求項１】
着脱に際し円筒状のヒートパイプを載置する載置面を一端に有する支持部と、
前記支持部が挿入される貫通口を有する留め具と、
前記支持部を前記留め具との間で挟持し、かつ内側から前記ヒートパイプに前記支持部を押圧することで固定する固定部とを備えるヒートパイプ着脱治具であって、
前記ヒートパイプが用いられる装置内に配置される設置台の溝部に、前記載置面が嵌合することを特徴とするヒートパイプ着脱治具。
【請求項２】
前記固定部において、前記支持部が嵌合する溝部を備えることを特徴とする請求項１記載のヒートパイプ着脱治具。
【請求項３】
前記支持部は前記載置面の他端に把手部を有するとともに、前記留め具の上面には該把手部と嵌合する溝部が形成されることを特徴とする請求項１又は２記載のヒートパイプ着脱治具。
【発明の詳細な説明】
【技術分野】
【０００１】
温度計校正炉における均熱手段であるヒートパイプを着脱するための治具に関する。
【背景技術】
【０００２】
熱電対等の温度計を校正する際に用いられる温度計校正炉は、炉内の広い範囲にわたって温度分布が良く、安定していることが求められる。この要求に応えるために、均熱手段としてヒートパイプを利用することが行われている。（例えば、特許文献１参照）。
【０００３】
まず温度計校正炉の一例について、図８を基に説明する。温度計校正炉８０は、炉体（加熱手段）８１と、ヒートパイプ８２と、定点セル８３と、保護管８４と、断熱材８５、８６、８７、８８とによって概略構成される。炉体（加熱手段）８１はヒーターブロックなどの加熱手段から形成され、炉体（加熱手段）８１の内部には均熱手段である円筒状のヒートパイプ８２が設置される。このヒートパイプ８２の内側に、被校正対象を収納する定点セル８３が挿入され、ヒートパイプ８２の近傍には炉内の温度を測定する温度センサなどを収容する保護管８４が設けられている。更に炉体（加熱手段）８１上部には、断熱材８５、８６、８７、８８が設置され、加熱された炉内の空気が外部へ逃げることを防いでいる。
【０００４】
ここで用いられるヒートパイプは、図９に示す通り主に金属で作られる密封容器９０と、毛細管作用を有する物質から成るウィック９１と、前記密封容器内に少量封入される作動液９２から構成される。このようなヒートパイプの一部が加熱されると、加熱部分に減圧封入されている作動液が蒸発し、その蒸気９３が圧力差によって低温部に流れ、凝縮する。ここで蒸発潜熱が交換され、凝縮した作動液は毛細管現象により加熱部に還流する。この一連の相変化が連続的に発生することで、温度分布が一定となるのである。
【０００５】
【特許文献１】特開平７−９２０３７号公報
【発明の開示】
【発明が解決しようとする課題】
【０００６】
しかしながら、ヒートパイプは永久に使用できるものではなく、製品としての寿命があるので定期的な交換を必要とする。図８で説明した温度計校正炉８０において、ヒートパイプ８２を交換する場合は、たとえば以下の手順で行う。従来交換作業は手で行われたため、作業を行う作業空間を確保する必要があった。そのため、まず断熱材８５、８６、８７、８８を本体から順に取り外し、作業者が快適に作業できる空間を確保し、その上でヒートパイプ８２を引き出す。次に、新しいヒートパイプ８２を設置し、設置時とは逆に断熱材８８、８７、８６、８５の順に複数の部品を元通りに設置していく必要がある。また、交換にあたっては断熱材のみならず、それに伴い各種部品の取り外しも必要となる。このように、ヒートパイプ交換に際しての上記手順は、着脱する部品の数も多く煩雑であり、交換には半日ほどの時間を要するのが通常であった。
【０００７】
本発明は、このような従来の構成が有していた問題を解決しようとするものであり、少ない手順及び短い時間で簡便にヒートパイプの交換を行うことが可能な交換用治具の実現を目的とするものである。
【課題を解決するための手段】
【０００８】
上記した目的を達成するために、請求項１記載のヒートパイプ着脱治具は、着脱に際し円筒状のヒートパイプを載置する載置面を一端に有する支持部と、前記支持部が挿入される貫通口を有する留め具と、前記支持部を前記留め具との間で挟持し、かつ内側から前記ヒートパイプに前記支持部を押圧することで固定する固定部とを備えるヒートパイプ着脱治具であって、前記ヒートパイプが用いられる装置内に配置される設置台の溝部に、前記載置面が嵌合する
ことを特徴とする。
【０００９】
また、請求項２に記載された発明は、前記固定部において、前記支持部が嵌合する溝部を備えることを特徴とする。
【００１０】
請求項３に記載された発明は、前記支持部は前記載置面の他端に把手部を有するとともに、前記留め具の上面には該把手部と嵌合する溝部が形成されることを特徴とする。
【発明の効果】
【００１１】
本発明に係るヒートパイプ着脱治具を用いれば、ヒートパイプを手で着脱する従来の方法に比べ、作業に必要な作業空間が小さくて済む。そのため、断熱材を取り外すにあたって必要な工程は一回のみと大幅に短縮され、ヒートパイプの交換作業も三十分ほどで完了できる。結果、交換作業工程の省略によって作業者の利便性の向上に資することが可能である。
【発明を実施するための最良の形態】
【００１２】
本発明について、図１〜図７を基に詳細に説明する。図１は本発明に係るヒートパイプ着脱治具を説明するための概略側断面図であり、図２は本発明に係るヒートパイプ着脱治具を構成する支持部の側面図であり、図３（ａ）は支持部を固定するための留め具の平面図であり、図３（ｂ）は図３（ａ）をＡ−Ａの線で断面にした側断面図であり、図４（ａ）は支持部を固定するための固定部の側面図であり、図４（ｂ）は図４（ａ）をＢ−Ｂの線で断面にした断面図であり、図４（ｃ）は固定部の長手方向の側断面図であり、図５（ａ）は温度計校正炉内に配置される設置台であり、図５（ｂ）は図５（ａ）をＣ−Ｃの線で断面にした断面図であり、図６（ａ）〜（ｄ）はヒートパイプを設置する手順を説明する図であり、図７は他の実施例を説明する図である。
【００１３】
まず図１に基づいて、本発明に係るヒートパイプ着脱治具について説明する。ヒートパイプ着脱治具１は、ヒートパイプ２を支持する支持部３、支持部３を固定する留め具４及び留め具４と共に支持部３を挟持し、かつ支持部３を内側からヒートパイプ２に押圧することで固定する固定部５から構成される。
【００１４】
次に図２に基づいて、本発明に係るヒートパイプ着脱治具を構成する支持部について説明する。支持部３は、剛性に優れた例えばＳＵＳから成る棒状であり、その一端にはヒートパイプ２を載置する載置面３ａを有する。作業者はこの載置面３ａにヒートパイプ２を載置し、その状態で支持部３を上下することで、ヒートパイプ２を着脱できる。
【００１５】
なおヒートパイプ２の着脱に際し、作業者は支持部３に形成された載置面３ａの他端である把手部３ｂを掴んで支持部３及びヒートパイプ２を上下する。しかしこの把手部３ｂが直線でありまた滑り止め加工されていないと、作業者の手から把手部３ｂが滑り落ち、ヒートパイプ２を破損する危険性がある。これを回避するため、把手部３ｂを例えば支持部３の長手方向に対して直角に加工したり、凹凸を形成したり、若しくは摩擦の大きい素材を被覆したりしてもよい。本実施例においては、作業者が把手部３ｂを掴んで上下するに際の利便性を考慮して、把手部３ｂを支持部３の長手方向に対して直角に加工し、かつ後述する留め具に設けられる溝部から外部へ突出するべく設計された構成で説明するが、前述の通りこれに限るものではない。
【００１６】
また本例においてはＳＵＳを素材例として挙げているが、支持部がヒートパイプに押圧されるときに、その圧力によって変形や破損が生じる素材でなければ、これに限定されるものではない。
更にヒートパイプ着脱治具１に用いられる支持部３の数は、一又は二以上の複数であっても良い。本実施例においては、支持部３を二つ使用する形態で説明する。
【００１７】
次に図３（ａ）及び（ｂ）に基づいて、支持部を固定するための留め具について説明する。留め具４は、アルミ等の軽量だが変形しにくい材質から成ることが望ましい。この留め具４は、図３（ａ）に図示する通り中心部に貫通口４ａを有する。貫通口４ａの大きさ及び形状は、後述する固定部５が支持部３を極力ヒートパイプ２へ押圧した状態で挟持できるよう、ヒートパイプ２の内径と等しい円形であるか、あるいはヒートパイプ２の内径と等しい一辺を有する長方形であることが望ましい。
また、前述のように支持部３の把手部３ｂを支持部３の長手方向に対して直角に加工した場合、図３に示す通り、留め具４の内周から外周に向かって把手部３ｂに対応して嵌合する溝部４ｂを形成することが好適である。この溝部４ｂに把手部３ｂを嵌合することで、支持部３の遊動を防ぐとともに、載置面３ａにヒートパイプ２を安定して載置できる。
【００１８】
図４（ａ）〜（ｃ）に基づき、支持部を固定するための固定部について説明する。この固定部５は、ヒートパイプ２の内径と略同径を有する円柱形である。前述の留め具４と共に支持部３を挟持し、ヒートパイプ２の着脱に際し、支持部３をヒートパイプ２の内側面に押しつけながら摺動する。
【００１９】
留め具４と共に支持部３をヒートパイプ２に押圧することが可能であれば、この固定部５は内部が空洞であっても良く、円形でなくとも良い。
また材質は、本実施例のように固定部５がヒートパイプ２の内周と接する状態で摺動する場合、例えば木材などのようにヒートパイプを傷つけない材質であることが望ましい。一方、後述する他の実施例のように、固定部５とは別の部材によって支持部３をヒートパイプ２へ押圧する構成をとる場合、固定部５は例えばＳＵＳなどで構成されることが望ましい。これは、固定部５本体で押圧する場合と異なり、固定部５が直接ヒートパイプ２の内周と擦り合わないため、材質については、柔らかさよりも変形しにくい性質のほうが重視されるためである。
【００２０】
更に、固定部５は一以上の溝部５ａを備える構成であるとなお良い。この溝部５ａは、支持部３が嵌合するための溝であり、固定部５の側面の長手方向に対して並行に形成されている。溝部５ａに支持部３が嵌合することで、固定部５とヒートパイプ２との間で支持部３が挟持され、徒に遊動することを防ぐことができる。
溝部５ａは、使用する支持部３に応じた数が形成されるが、本実施例においては支持部３を二つ使用する場合について記述する。
【００２１】
図５（ａ）及び（ｂ）に基づき、温度計校正炉内に配置される設置台について説明する。設置台６はヒートパイプ２及び定点セルを設置する台であり、断熱性及び耐圧性に優れていることが望ましい。そのような素材としては例えば煉瓦材が挙げられるが、これに限るものではない。
設置台６には、ヒートパイプ２の内径と略同径である外周を有する突起部６ａが形成される。この突起部６ａに、容器に収容された定点セルが載置される。そして定点セル及び突起部６ａの周囲にはヒートパイプ２が設置される。
なお、設置台６は溝部６ｂを有する。この溝部６ｂは載置面３ａが嵌合できると同時に、載置面３ａに載置されたヒートパイプ２を設置台６に設置した後、当該ヒートパイプ２を移動することなく支持部３を引き抜くことが可能な構造でなくてはならない。そのため例えば支持部３を二つ用いている本実施例においては、当該溝部は、設置台６の中心方向へ載置面３ａを摺動できる構造となっている。
【００２２】
次に図６（ａ）〜（ｄ）に基づき、本発明に係るヒートパイプ着脱治具を用いたヒートパイプを温度計校正炉に設置する手順について説明する。
図６（ａ）に示す通り、支持部３を留め具４の貫通口４ａ及び円筒状のヒートパイプ２の内側に挿入する。載置面３ａがヒートパイプ２の底面よりも下方に位置するまで挿入した時点で、支持部３をヒートパイプ２の内側面に接触させる。このとき載置面３ａにヒートパイプ２の底面が載置するように位置決めし、かつヒートパイプ２を載置した状態で載置面３ａを固定するべく、把手部３ｂを留め具４の上面に形成された溝部４ｂに嵌合する。
続いて、図６（ｂ）に示すように、固定部５を留め具４の貫通口４ａ及びヒートパイプ２の内側に挿入する。固定部５を挿入することで、固定部５本体によって支持部３がヒートパイプ２の内側面に押圧され、また留め具４と固定部５に挟持されることで支持部３は固定される。
【００２３】
図６（ｃ）及び（ｄ）に図示されているのは、断熱材８５及び８６が取り外された状態である温度計校正炉８０である。なお、この断熱材８５及び８６は部材としては二つであるが、断熱材８６を取り外す一回の工程で、断熱材８５も取り外すことが可能である。
前述の断熱材８５及び８６が取り外された状態の温度計校正炉８０において、図６（ｃ）に図示するように、ヒートパイプ２が設置される設置空間７に、ヒートパイプ着脱治具１（支持部３、留め具４、固定部５）に固定されたヒートパイプ２を挿入する。
最後に、図６（ｄ）に示す通り、設置台６に形成される溝部６ａに載置面３ａを嵌合する。詳述すると、前述のようにヒートパイプ２を設置空間７に挿入し、ヒートパイプ２を載置している載置面３ａが設置台６の溝部６ａに嵌合するようにヒートパイプ２を降下させていく。載置面３ａが溝部６ａに嵌合すると、設置台６の上面はヒートパイプ２の底面と直接接触し、ヒートパイプ２が設置される。
【００２４】
ヒートパイプ２の設置完了後は、まず固定部５をヒートパイプ２から引き抜く。固定部５を引き抜くと支持部３が移動可能となるので、載置面３ａを溝部６ａに沿って設置台６の中心方向へ摺動させる。そして載置面３ａを完全にヒートパイプ２の下部から引き出した後、支持部３及び留め具４をヒートパイプ２から引き抜く。以上の手順により、ヒートパイプ着脱治具１の解体が可能である。ヒートパイプ２を取り外すときは、設置とは逆の手順で行えばよい。
【００２５】
最後に図７に基づいて、他の実施例について説明する。上述した例においては、留め具４は円環、留め具４に挿入する固定部５は円柱形で説明した。しかし、図７（ｂ）に平面図で示すように、留め具４は長方形であっても良い。また固定部５についても、固定部５本体で支持部３を押圧するのではなく、支持部３を押圧する複数の押圧部８を固定部５に設け、この押圧部８によって支持部３を押圧する構成であっても良い。
【００２６】
図７（ｃ）に平面図で示す通り、この押圧部８は、留め具４の貫通口４ａに挿入できる大きさ及び形状であることは勿論であり、複数設けられた押圧部８のうち一つは留め具４との間で支持部３を挟持する点は、固定部５本体で支持部３を押圧する場合と同様である。押圧部８は、固定部５と一体に形成されても良い。また押圧部８の略中心に貫通口８ａを設け、この貫通項８ａに固定部５を挿入し、何らかの固定手段によって両者を固着する構成であっても良い。素材は例えばＳＵＳなど、支持部３をヒートパイプ２へ押圧する際に変形が生じない物質であることが望ましい。
なおこの押圧部８に、支持部３を嵌合して固定する溝部８ａを設けるとなお良い。これは、固定部５本体に溝部５ａが設けられる場合と同様、支持部３が徒に遊動することを防ぐためである。
【００２７】
以上に述べたように、温度計校正炉におけるヒートパイプの交換に際し、本発明であるヒートパイプ着脱治具を用いることで、作業者の手順を減少し、作業時間の短縮を図ることができる。ヒートパイプの着脱に際して必要な作業空間を確保するためには断熱材を取り外す必要があるが、本発明に係るヒートパイプ着脱治具を用いれば一回の工程で取り外すが可能である。また設置に際しては、治具及び温度計校正炉によってヒートパイプは堅く挟持されるため、希望する位置に確実に設置することが可能となる。
【００２８】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００２９】
【図１】図１は本発明に係るヒートパイプ着脱治具を説明するための概略側断面図である。
【図２】図２は本発明に係るヒートパイプ着脱治具を構成する支持部の側面図である。
【図３】図３（ａ）は支持部を固定するための留め具の平面図であり、図３（ｂ）は図３（ａ）をＡ−Ａの線で断面にした側断面図である。
【図４】図４（ａ）は支持部を固定するための固定部の側面図であり、図４（ｂ）は図４（ａ）をＢ−Ｂの線で断面にした断面図であり、図４（ｃ）は固定部の長手方向の側断面図である。
【図５】図５（ａ）は温度計校正炉内に配置される設置台であり、図５（ｂ）は図５（ａ）をＣ−Ｃの線で断面にした断面図である。
【図６】図６（ａ）〜（ｄ）はヒートパイプを設置する手順を説明するための図である。
【図７】図７は他の実施例を説明するための図である。
【図８】図８は温度計校正炉を説明するための図である。
【図９】図９はヒートパイプの構造の概略図である。
【符号の説明】
【００３０】
１  ヒートパイプ着脱治具
２  ヒートパイプ
３  支持部
３ａ  載置面
３ｂ  把手部
４  留め具
４ａ  貫通口
４ｂ  溝部
５  固定部
５ａ  溝部
６  設置台
６ａ  溝部
７  ヒートパイプ設置空間
８  押圧部
８ａ  貫通口
８ｂ  溝部
８０  温度計校正炉
８１  炉体（加熱手段）
８２  ヒートパイプ
８３  定点セル
８４  保護管
８５、８６、８７、８８  断熱材
９０  密封容器
９１  ウィック
９２  作動液
９３  蒸気
【図１】
2010025397.tif 000003
【図２】
2010025397.tif 000004
【図３】
2010025397.tif 000005
【図４】
2010025397.tif 000006
【図５】
2010025397.tif 000007
【図６】
2010025397.tif 000008
【図７】
2010025397.tif 000009
【図８】
2010025397.tif 000010
【図９】
2010025397.tif 000011